(57)【特許請求の範囲】
【請求項１】
二次元平面で定義される基準領域のサイズ、複数の辺に囲まれた閉領域であるセルの個数に関するパラメータを入力する段階と、
入力されたパラメータにしたがって前記セルの頂点となる母点を、前記基準領域上に配置する段階と、
前記母点を用いて前記基準領域をボロノイ分割により多数の多角形に分割する段階と、
分割により得られた各多角形について各辺に分割点を設け、当該分割点を辺と垂直な方向に移動させて、前記多角形を変形する段階と、
各多角形を、各頂点と内部の母点との距離を縮めることにより、収縮する段階と、
収縮された多角形をその内部の母点を頂点とする複数の三角形に分割する段階と、
前記基準領域上の全座標点が、前記分割により発生した三角形の内どの三角形に含まれるかを特定する段階と、
特定された三角形の母点を最高点、母点と対向する辺を所定の高さとし、前記母点と前記母点と対向する辺との高低差に基づいて、前記母点と前記母点と対向する辺の間に存在する各座標点の値である高さを求める段階と、
前記基準領域内の全座標点に対して高さを求めた結果、基準領域のｘｙ座標と、基準領域と垂直方向の高さにより得られるセル状立体形状を前記高さ方向の複数の閾値でそれぞれ二値化することにより複数の二値データを得る段階と、
得られた複数の二値データに基づいて複数回のエッチングを行って複数の段を有するエンボスシリンダを作成し、当該エンボスシリンダによりエンボス加工を行ってシートの作成を行う段階と、
を有することを特徴とするエンボスシートの作成方法。
【請求項２】
二次元平面で定義される基準領域のサイズ、複数の辺に囲まれた閉領域であるセルの個数に関するパラメータを入力する段階と、
入力されたパラメータにしたがって前記セルの頂点となる母点を、前記基準領域上に配置する段階と、
前記母点を用いて前記基準領域をボロノイ分割により多数の多角形に分割する段階と、
分割により得られた各多角形について各辺に分割点を設け、当該分割点を辺と垂直な方向に移動させて、前記多角形を変形する段階と、
各多角形を、各頂点と内部の母点との距離を縮めることにより、収縮する段階と、
収縮された多角形をその内部の母点を頂点とする複数の三角形に分割する段階と、
前記基準領域上の全座標点が、前記分割により発生した三角形の内どの三角形に含まれるかを特定する段階と、
特定された三角形の母点を最高点、母点と対向する辺を所定の高さとし、前記母点と前記母点と対向する辺との高低差に基づいて、前記母点と前記母点と対向する辺の間に存在する各座標点の値である高さを求める段階と、
前記基準領域内の全座標点に対して高さを求めた結果、基準領域のｘｙ座標と、基準領域と垂直方向の高さにより得られるセル状立体形状を前記高さ方向の値で所定の段階に標本化することにより多値データを得る段階と、
得られた多値データに基づいて、彫刻装置によりシリンダに対して彫刻を行って複数の段を有するエンボスシリンダを作成し、当該エンボスシリンダによりエンボス加工を行ってシートの作成を行う段階と、
を有することを特徴とするエンボスシートの作成方法。
【請求項３】
二次元平面で定義される基準領域のサイズ、複数の辺に囲まれた閉領域であるセルの個数に関するパラメータを入力する入力手段と、
入力されたパラメータにしたがって前記セルの頂点となる母点を、前記基準領域上に配置する機能と、前記母点を用いて前記基準領域をボロノイ分割により複数の多角形に分割する機能と、分割により得られた各多角形について各辺に分割点を設け、当該分割点を辺と垂直な方向に移動させて、前記多角形を変形する機能と、各多角形を、各頂点と内部の母点との距離を縮めることにより、収縮する機能と、収縮された多角形をその内部の母点を頂点とする複数の三角形に分割する機能と、前記基準領域上の全座標点が、前記分割により発生した三角形の内どの三角形に含まれるかを特定する機能と、特定された三角形の母点を最高点、母点と対向する辺を所定の高さとし、前記母点と前記母点と対向する辺との高低差に基づいて、前記母点と前記母点と対向する辺の間に存在する各座標点の値である高さを求める機能を有し、前記基準領域のｘｙ座標と、基準領域と垂直方向の高さにより得られるセル状立体形状を生成するセル状立体形状生成手段と、
前記セル状立体形状を前記高さ方向の複数の閾値でそれぞれ二値化することにより複数の二値データを得る二値化手段と、
を有することを特徴とするエンボスシート作成用データ生成装置。
【請求項４】
二次元平面で定義される基準領域のサイズ、複数の辺に囲まれた閉領域であるセルの個数に関するパラメータを入力する入力手段と、
入力されたパラメータにしたがって前記セルの頂点となる母点を、前記基準領域上に配置する機能と、前記母点を用いて前記基準領域をボロノイ分割により複数の多角形に分割する機能と、分割により得られた各多角形について各辺に分割点を設け、当該分割点を辺と垂直な方向に移動させて、前記多角形を変形する機能と、各多角形を、各頂点と内部の母点との距離を縮めることにより、収縮する機能と、収縮された多角形をその内部の母点を頂点とする複数の三角形に分割する機能と、前記基準領域上の全座標点が、前記分割により発生した三角形の内どの三角形に含まれるかを特定する機能と、特定された三角形の母点を最高点、母点と対向する辺を所定の高さとし、前記母点と前記母点と対向する辺との高低差に基づいて、前記母点と前記母点と対向する辺の間に存在する各座標点の値である高さを求める機能を有し、前記基準領域のｘｙ座標と、基準領域と垂直方向の高さにより得られるセル状立体形状を生成するセル状立体形状生成手段と、
前記セル状立体形状を前記高さ方向の値で所定の段階に標本化することにより多値データを得る多値化手段と、
を有することを特徴とするエンボスシート作成用データ生成装置。
【発明の詳細な説明】
【０００１】
【産業上の利用分野】
本発明は、多数のセルを有する表面形状を持ったエンボスシートを、コンピュータを用いて自動的に作成するための方法および、そのようなシートを作成するためのデータ生成装置に関する。
【０００２】
【従来の技術】
今日では、靴、かばん、財布等の多くの製品において、表面に本革または布の代わりに合成皮革が用いられている。この合成皮革の表面はポリウレタン樹脂で覆われており、このポリウレタン樹脂が皮革調または布地調の立体形状であることにより、合成皮革である製品の意匠性を高めている。
このうち皮革調のポリウレタン樹脂は、皮革調の立体形状を有するシートの凹凸をポリウレタン樹脂に転写して、皮革を表現するための細かい凹凸を与えることにより作成される。皮革調シートのような凹凸を有するシートからポリウレタン樹脂に凹凸を与える手法の詳細については、特公昭６２−４１７９４号公報にも記載されている。
この皮革調ポリウレタン樹脂を作成する基になる皮革調シートは、実際の皮革をシリコン樹脂で型取りした後、その型を基に金属に形状を転写し、さらにエンボスシリンダに反復転写した後にシートにエンボス加工することにより作成されている。
【０００３】
【発明が解決しようとする課題】
上記従来のような皮革調シートの作成手法では、以下のような種々の問題がある。まず、皮革の型を取る必要があるため、実際の皮革を用意しなければならない。すなわち、実際にない皮革を自由にデザインして作成することができない。また、皮革に皺やよれがあると、それまでいっしょに複製されてしまう。また、作成工程において転写を繰り返す必要があるため、最終的に出来上がる皮革調の起伏が低減する。
【０００４】
上記のような点に鑑み、本発明はコンピュータを用いて擬似的に、充分な深さを持ち、皺やよれのない皮革調立体形状を有するエンボスシート、特にエイの革などに見られるセル状の構造を有する皮革を表現したエンボスシートを自由なデザインで作成可能なエンボスシートの作成方法およびシート作成用のデータ生成装置を提供することを課題とする。
【０００５】
【課題を解決するための手段】
上記課題を解決するため、請求項１、３に記載の発明では、二次元平面で定義される基準領域のサイズ、複数の辺に囲まれた閉領域であるセルの個数に関するパラメータを入力し、入力されたパラメータにしたがってセルの頂点となる母点を基準領域上に配置し、前記母点を用いて前記基準領域をボロノイ分割により複数の多角形に分割し、分割により得られた各多角形について各辺に分割点を設け、当該分割点を辺と垂直な方向に移動させて、前記多角形を変形し、各多角形を、各頂点と内部の母点との距離を縮めることにより、収縮し、収縮された多角形をその内部の母点を頂点とする複数の三角形に分割し、前記基準領域上の全座標点が、前記分割により発生した三角形の内どの三角形に含まれるかを特定し、特定された三角形の母点を最高点、母点と対向する辺を所定の高さとし、前記母点と前記母点と対向する辺との高低差に基づいて、前記母点と前記母点と対向する辺の間に存在する各座標点の値である高さを求め、前記基準領域内の全座標点に対して高さを求めた結果、基準領域のｘｙ座標と、基準領域と垂直方向の高さにより得られるセル状立体形状を前記高さ方向の複数の閾値でそれぞれ二値化することにより複数の二値データを得て、得られた複数の二値データに基づいて複数回のエッチングを行って複数の段を有するエンボスシリンダを作成し、当該エンボスシリンダによりエンボス加工を行ってシートの作成を行うようにしたことを特徴とする。請求項１、３に記載の発明では、エイの皮革などを表現するために、セル状立体形状を生成するようにしており、このセル状立体形状を、複数の閾値で二値化することにより複数の二値データを得て、得られた複数の二値データに基づいてシートの作成を行うようにしたので、皺やよれのないセル構造を持ったエンボスシートの作成が可能になる。
【０００６】
請求項２、４に記載の発明では、二次元平面で定義される基準領域のサイズ、複数の辺に囲まれた閉領域であるセルの個数に関するパラメータを入力し、入力されたパラメータにしたがってセルの頂点となる母点を基準領域上に配置し、前記母点を用いて前記基準領域をボロノイ分割により複数の多角形に分割し、分割により得られた各多角形について各辺に分割点を設け、当該分割点を辺と垂直な方向に移動させて、前記多角形を変形し、各多角形を、各頂点と内部の母点との距離を縮めることにより、収縮し、収縮された多角形をその内部の母点を頂点とする複数の三角形に分割し、前記基準領域上の全座標点が、前記分割により発生した三角形の内どの三角形に含まれるかを特定し、特定された三角形の母点を最高点、母点と対向する辺を所定の高さとし、前記母点と前記母点と対向する辺との高低差に基づいて、前記母点と前記母点と対向する辺の間に存在する各座標点の値である高さを求め、前記基準領域内の全座標点に対して高さを求めた結果、基準領域のｘｙ座標と、基準領域と垂直方向の高さにより得られるセル状立体形状を前記高さ方向の値で所定の段階に標本化することにより多値データを得て、得られた多値データに基づいて、彫刻装置によりシリンダに対して彫刻を行って複数の段を有するエンボスシリンダを作成し、当該エンボスシリンダによりエンボス加工を行ってシートの作成を行うようにしたことを特徴とする。請求項２、４に記載の発明では、エイの皮革などを表現するために、セル状立体形状を生成するようにしており、このセル状立体形状を、高さ方向の値で所定の段階に標本化することにより多値データを得て、得られた多値データに基づいてシートの作成を行うようにしたので、皺やよれのないセル構造を持ったエンボスシートの作成が可能になる。
【０００７】
【発明の実施の形態】
以下、本発明の好適な実施形態について、図面を参照して詳細に説明する。
（第１の実施形態）
まず、本発明によるエンボスシートの作成方法の第１の実施形態について、図１のフローチャートを用いて説明する。まず、ステップＳ１において、セル状立体形状の生成を行う。ここでは、設定した基準領域において、多数のセルを表現することにより、三次元空間にセル状立体形状を生成する。なお、本明細書においてセルとは、基準領域内で複数の辺に囲まれた閉領域を意味し、セル状立体形状とは、基準領域平面と垂直方向の高さの分布を、各セルに与えることにより得られる基準領域内全体の立体形状を意味する。ステップＳ１において生成されるこのセル状立体形状は、二次元平面で定義される基準領域内の各点において、所定の値（スカラー値）を有する二次元スカラー場となる。
【０００８】
次に、ステップＳ２において、生成されたセル状立体形状の基準領域と平行な平面を閾値としてセルによる凹凸を二値化したデータを生成する。この二値データは複数の閾値を用いることにより複数生成される。続いて、ステップＳ３において、生成された複数の二値データを用いて多段エッチング、すなわち、複数回エッチングを行い複数の段を有するエンボスシリンダを作成する。さらに、ステップＳ４において、シートに対してエンボス加工を行うことによりセル状のエンボスシートを得る。
【０００９】
ここで、ステップＳ１のセル状立体形状の生成について、図２のフローチャートを用いて説明する。まず、ステップＳ１１において、パラメータの入力を行う。パラメータとしては、基準領域サイズｗｉｄｔｈ×ｈｅｉｇｈｔ、セル個数ｎｐ、セル最大高さｈｐを入力する。基準領域サイズｗｉｄｔｈ×ｈｅｉｇｈｔは、セル状立体形状を生成する領域全体の大きさを示すものであり、基準領域に格子状に規則正しく配列され、ｘｙ座標で特定される点（座標点と定義する）の数を示す。後にこの各座標点に高さとしてスカラー値が与えられることになる。規則正しく配列された各座標点に値が定義されることになるため、基準領域はｗｉｄｔｈ×ｈｅｉｇｈｔ個の画素で構成されていると解釈することもできる。
【００１０】
セル個数ｎｐは、基準領域内に発生させるセルの個数を示すものである。また、セル最大高さｈｐは、セルの最も高い部分の高さを示すものであり、本実施形態では全てのセルについて同一である。揺らぎ制御パラメータｎｄ、ｍａｘは、それぞれステップＳ１４における各辺の分割数ｎｄ、各分割点の移動量の最大値ｍａｘを設定するものである。
【００１１】
続いて、設定されたパラメータに基づいて、基準領域上に母点を配置していく（ステップＳ１２）。母点とは、後にセルの頂点（最高点）となる点のことである。そのため、ステップＳ１１で設定したセル個数と同数のｎｐ個の母点が配置されることになる。母点は、基準領域上に所定のルールにしたがって配置される。ある点を所定の領域に配置する手法については、周知の多数の手法を適宜利用することができる。例えば、基準領域上の座標点の中からランダムにｎｐ個選択して配置することもできるし、所定間隔で配置位置を仮決定した後、乱数により定まる値分だけ仮決定位置から移動した位置を配置位置として決定することもできる。ある程度等間隔を保ってセルを発生するには、後者が好ましい。
【００１２】
続いて、２つの母点間から等距離となる直線を、各母点間に引いていくことにより、基準領域を多数の多角形に分割する（ステップＳ１３）。この分割手法は、一般にボロノイ分割と呼ばれ、地理情報処理などに利用されている周知の手法であるので詳細な説明は省略する。
【００１３】
次に、ステップＳ１３の処理により得られた全多角形について、その全ての辺をｎｄ個に分割する（ステップＳ１４）。この分割数ｎｄは、ステップＳ１１において設定された揺らぎ制御パラメータｎｄである。具体的には、辺をｎｄ個に等間隔に分ける（ｎｄ−１）個の分割点をそれぞれ辺と垂直な方向に移動させる。図３にｎｄ＝３の場合の分割の様子を示す。各分割点の移動量はフラクタルなどの揺らぎを持った関数を適用し、隣接する分割点の移動量が滑らかに変化するようにするのが好ましい。この際、ステップＳ１１において、移動距離の最大値ｍａｘを設定しておくことにより、多角形が大きく変形し過ぎないようにすることができる。
【００１４】
次に、各多角形の収縮を行う（ステップＳ１５）。多角形を構成する各辺は隣り合う多角形の辺にもなっているため、あらかじめ各辺を複製し、各辺が各多角形固有のものとなるようにしておく。続いて実際に各多角形の収縮を行う。まず、ある多角形の内、母点に最も近い頂点（ボロノイ点および分割点）の母点からの距離をｒｍとする。続いて多角形を構成する各頂点を以下の（数式１）に基づいて母点に近付くように移動する。
【００１５】
（数式１）
ｒｎ＝（ｒ＋ｒｍ）／２
【００１６】
（数式１）において、ｒはその頂点と母点の元々の距離、ｒｎは収縮後の距離を示す。この例では、母点から最短距離にある頂点だけは移動しないことになる。このステップＳ１５の処理により、各多角形は若干丸みを増すと共に、多角形同士の間に隙間ができる。すなわち、セル（多角形）とそれ以外の領域ができることになる。
【００１７】
続いて、各多角形を複数の三角形に分割する（ステップＳ１６）。この分割は、多角形の頂点（ボロノイ点および分割点）とその多角形の内部の母点を線分で結ぶことにより行われる。例えば、多角形が六角形である場合は、６個の三角形に分割されることになる。作成された三角形は、各線分のベクターデータとして保持されることになる。上記ステップＳ１１からＳ１６までの処理により、基準領域には、多数の多角形が他の多角形と接しないように配置され、各多角形は複数の三角形で敷き詰められた状態となっている。
【００１８】
次に、基準領域の各画素について、各画素がどの三角形に含まれるかを特定する（ステップＳ１７）。実際には画素は大きさを持っているため、計算のため、画素の中心に対応する点を座標点とし、各座標点が、基準領域上に作成された三角形の内、どの三角形に含まれるかを特定することにより行う。三角形の特定は、以下のようにして行われる。まず、頂点ａ、ｂ、ｃにより構成されるある三角形ａｂｃに着目する。このとき、図４（ａ）に示すように注目座標点ｗが三角形ａｂｃの内部にある場合は、ベクトルの外積（ベクトルａｂ）×（ベクトルａｗ）、（ベクトルｂｃ）×（ベクトルｂｗ）、（ベクトルｃａ）×（ベクトルｃｗ）の基準領域に垂直な方向成分の符号が全て一致する。この条件を満たす三角形は、ある注目座標点に対して１つだけあるか、または無いかのどちらかであるので、注目座標点がいずれかの三角形に属しているかどうか、属する場合はどの三角形に属するかが特定されることになる。
【００１９】
続いて、注目座標点の高さを、その注目座標点が属する三角形を用いて算出する（ステップＳ１８）。基準領域上の三角形は、上述のように分割により生成された多角形の各頂点と母点を結ぶことによりできたものであるので、その内の１つの頂点は、セルの最高点となり、基準領域に対して高さｈｐを有する。また、セルの頂点となる頂点以外の２頂点の高さは基準領域上にあるものとする。例えば、図４（ａ）に示す三角形ａｂｃにおいて、頂点ａが母点、すなわちセルの最高点であるとすると、頂点ａの高さはｈｐとなり、線分ｂｃは基準領域上にあって高さは０となり、頂点ａから辺ｂｃに向かって徐々に高さが変化する。
【００２０】
このような三角形ａｂｃにおいて、頂点ａと注目座標点ｗを結ぶ直線が辺ｂｃと交わる点をｐとする。このときの各点の関係を図４（ｂ）に示す。点ｐは辺ｂｃ上にあるため、高さは０であり、頂点ａは高さｈｐである。このとき、注目座標点ｗの高さｈ（ｗ）は以下の（数式２）を用いて算出される。
【００２１】
（数式２）
ｋ（ｘ，ｙ）＝ｈｐ×｜ａｗ｜／｜ａｐ｜
ｈ（ｘ，ｙ）＝Ｆ（ｋ（ｘ，ｙ））
【００２２】
（数式２）において、Ｆ（ｋ）は高さの変化の度合いを定める関数であり、これによりセルの高さ方向の形状の丸みが決定される。例えばＦ（ｋ）＝ｈｐ×｛１−（ｋ／ｈｐ）5｝などとすることができる。
【００２３】
ステップＳ１７、ステップＳ１８の処理を、基準領域上の全画素（ｘ，ｙ）、すなわち、１≦ｘ≦ｗｉｄｔｈ、１≦ｙ≦ｈｅｉｇｈｔを満たす全ての画素（ｘ，ｙ）に対応する座標点に対して行い、各画素（ｘ，ｙ）における高さｈ（ｘ，ｙ）を算出する。ステップＳ１７において、三角形に属さないと判断された座標点を有する画素については高さｈ（ｘ，ｙ）＝０と設定される。以上の処理により基準領域上に多数の凸型のセルが形成されたセル状立体形状が生成されることになる。
【００２４】
続いて、図１のフローチャートに戻って、ステップＳ２について説明する。ステップＳ２では、ステップＳ１において生成されたセル状立体形状を基に複数の二値データを作成する。まず、二値データ生成の前処理として、セル状立体形状を、前記基準領域を単位として繋ぎ合わせ処理を行うことにより、作成するエンボスシリンダの大きさまで拡大する。このとき、基準領域同士の繋ぎ目が目立たなくなるように、繋ぎ目付近において値が滑らかに変化するエンドレス化処理を行うことが好ましい。このように所定の大きさの画像を繰り返し並べて繋ぎ合わせることにより拡大する繋ぎ合わせ処理、また、その繋ぎ目が目立たなくなるようにするエンドレス化処理については周知の技術であるので、ここでは詳細な説明は省略する。続いて、エンボスシリンダと同サイズとなったセル状立体形状に対して、その高さ方向を閾値として同サイズの二値データを生成する。例えば、高さ方向をｚ軸としたとき、ｚの値を所定の間隔で取り、それぞれの閾値に対する二値データを生成する。ステップＳ２において得られる二値データの例を図８に示す。図８はステップＳ１において生成されたセル状立体形状を４つの閾値で二値化したデータであり、白で表現された領域がセルの内部である。また、設定した閾値が小さい方から順に右下、右上、左下、左上のようなデータとなる。
【００２５】
ステップＳ３では、生成された二値データを用いてエッチング等の手法で刷版を行いエンボスシリンダを作成する。ここでは、ステップＳ２により得られた二値データ分だけ、エッチングを行うため、複数の段を有するエンボスシリンダが作成されることになる。
【００２６】
ステップＳ４では、得られたエンボスシリンダによりシートに対してエンボス加工を行う。これによりセル状立体形状を有するエンボスシートができあがる。
【００２７】
ここで、第１の実施形態におけるエンボスシート作成用データ生成装置の装置構成について説明する。図５にエンボスシート作成用データ生成装置の機能ブロック図を示す。本装置は、パラメータ入力手段１、セル状立体形状生成手段２、二値化手段３、多段エッチング手段４により構成され、セル状立体形状生成手段２は、母点配置部５、多角形分割部６、多角形収縮部７、三角形分割部８、三角形特定部９、高さ算出部１０を有する。
【００２８】
パラメータ入力手段１は、図２のステップＳ１１で説明したようなパラメータを入力するためのものであり、現実にはキーボードやマウス等の入力機器により実現される。セル状立体形状生成手段２は、図２のステップＳ１２〜ステップＳ１８の処理を行うものであり、セル状立体形状生成手段２内の母点配置部５、多角形分割部６、多角形収縮部７、三角形分割部８、三角形特定部９、高さ算出部１０は、それぞれ図２のステップＳ１２、ステップＳ１３、ステップＳ１４〜Ｓ１５、ステップＳ１６、ステップＳ１７、ステップＳ１８の処理を行う機能を有する。セル状立体形状生成手段２は、コンピュータにより実現され、母点配置部５、多角形分割部６、多角形収縮部７、三角形分割部８、三角形特定部９、高さ算出部１０は、それぞれコンピュータに専用のプログラムを搭載することにより実現される。二値化手段３は、図１のステップＳ２の処理を行うものであり、コンピュータに専用のプログラムを搭載することにより実現される。多段エッチング手段４は、図１のステップＳ３の処理を実行するものであり、通常のエッチング工程を見当を合わせながら複数回実行することで実現される。
【００２９】
（第２の実施形態）
次に、本発明のエンボスシートの作成方法の第２の実施形態について、図６のフローチャートを用いて説明する。図１のフローチャートと図６のフローチャートを比較するとわかるように、第２の実施形態は、第１の実施形態とステップＳ１、ステップＳ４は同一であり、ステップＳ２、ステップＳ３の代わりにステップＳ５、ステップＳ６の処理が行われている。そのため、ここでは、ステップＳ５とステップＳ６の処理についてのみ説明する。
【００３０】
ステップＳ１によりセル状立体形状が生成されたら、ステップＳ５において、ステップＳ２と同様にｚの値を複数定める。しかし、ここではｚを閾値として用いるのではなく、複数のｚの値を用いて標本化を行って基準領域を画像サイズとする多値データを生成する。例えば、ｎ個のｚの値を用いて多値データを生成すると、０からｎまでの値を有する多値データが得られる。
【００３１】
続いて、ステップＳ６において、生成された多値データに基づいて、ＮＣ工作機械等の彫刻装置によりシリンダに対して彫刻を行い、複数の段を有するエンボスシリンダを作成する。
【００３２】
ステップＳ４では、第１の実施形態と同様、得られたエンボスシリンダによりシートに対してエンボス加工を行う。
【００３３】
次に、第２の実施形態におけるエンボスシート作成用データ生成装置の装置構成について説明する。図７に第２の実施形態のエンボスシート作成用データ生成装置の機能ブロック図を示す。本装置は、パラメータ入力手段１、セル状立体形状生成手段２、標本化手段１１、彫刻手段１２により構成されている。この内、図５と同一の番号が付されたものは、第１の実施形態と同一の機能を有するものであるので説明は省略する。
【００３４】
標本化手段１１は、図６のステップＳ５の処理を行うものであり、コンピュータに専用のプログラムを搭載することにより実現される。彫刻手段１２は、図６のステップＳ６の処理を実行するものであり、市販のＮＣ工作機械等の彫刻装置を適用することができる。
【００３５】
最終製品として得られるエンボスシートにおける意匠上好ましい各セルのサイズは、直径０．２〜０．５ｍｍ程度、高さは０．０５〜０．３０ｍｍ程度である。そのため、実際には、これらを考慮してパラメータを設定することが好ましい。その際、装置により影響を受ける画像解像度（画素／ｍｍ）等を考慮する必要がある。
【００３６】
【発明の効果】
以上、説明したように本発明によれば、入力されたパラメータにしたがってセルの頂点となる母点を基準領域上に配置し、前記母点を用いて前記基準領域を複数の多角形に分割し、各多角形をその内部の母点方向に収縮し、収縮された多角形をその内部の母点を頂点とする複数の三角形に分割し、前記基準領域上の各座標点が、前記分割により発生した三角形の内どの三角形に含まれるかを特定し、特定された三角形の母点と母点と対向する辺の高低差に基づいて当該座標点の高さを求め、前記基準領域内の全座標点に対して高さを求めた結果得られるセル状立体形状を複数の閾値で二値化することにより複数の二値データを得て、得られた複数の二値データに基づいてシートの作成を行うか、あるいは、セル状立体形状を前記高さ方向の値で所定の段階に標本化することにより多値データを得て、得られた多値データに基づいてシートの作成を行うようにしたので、皺やよれのないセル構造を持ったエンボスシートの作成が可能になる。
【図面の簡単な説明】
【図１】本発明のエンボスシートの作成方法の第１の実施形態のフローチャートである。
【図２】図１のステップＳ１の詳細を示すフローチャートである。
【図３】図２のステップＳ１４における各辺の分割と揺らぎの付与の説明図である。
【図４】図２のステップＳ１７、Ｓ１８における処理の説明図である。
【図５】本発明のエンボスシート作成用データ生成装置の第１の実施形態の機能ブロック図である。
【図６】本発明のエンボスシートの作成方法の第２の実施形態のフローチャートである。
【図７】本発明のエンボスシート作成用データ生成装置の第２の実施形態の機能ブロック図である。
【図８】図１のステップＳ２において生成される二値データの一例を示す図である。
【符号の説明】
１・・・パラメータ入力手段
２・・・セル状立体形状生成手段
３・・・二値化手段
４・・・多段エッチング手段
５・・・母点配置部
６・・・多角形分割部
７・・・多角形収縮部
８・・・三角形分割部
９・・・三角形特定部
１０・・・高さ算出部
１１・・・標本化手段
１２・・・彫刻手段
【図１】
0004402240.tif 000002
【図２】
0004402240.tif 000003
【図３】
0004402240.tif 000004
【図４】
0004402240.tif 000005
【図５】
0004402240.tif 000006
【図６】
0004402240.tif 000007
【図７】
0004402240.tif 000008
【図８】
0004402240.tif 000009